(57)【特許請求の範囲】
【請求項１】
吸気口及び排気口を有する中空形状のチャンバと、チャンバ内における吸気口と排気口の間に設けられ、チャンバ内に吸気口から排気口への気流を生じさせる押出式ファンと、チャンバ内におけるファンと排気口との間に設けられ、保持した害虫防除成分を、押出式ファンによる気流に乗せて排気口からチャンバ外に揮散させる薬剤保持材とを備え、前記押出式ファンの直径Ｂは、前記薬剤保持材の気流と直交する方向に沿う寸法Ｃよりも小さく、かつ、前記押出式ファンと前記薬剤保持材との気流方向に沿う間隔Ａを５〜２０ｍｍで近接配置され、前記押出式ファンと前記薬剤保持材との間に整流板あるいは前記薬剤保持材の受台が存在しない空間を形成していることを特徴とする小型化害虫防除装置。
【発明の詳細な説明】
【０００１】
【発明の属する技術分野】
本発明は、チャンバ内の薬剤保持材に保持した害虫防除成分を、ファンによる気流に乗せてチャンバ外に揮散させるための害虫防除装置に関する。
【０００２】
【従来の技術】
従来、害虫防除装置として、チャンバ内の薬剤保持材に保持した害虫防除成分を、ファンによる気流に乗せてチャンバ外に揮散させるものがある。
ファンは、チャンバ内における吸気口と排気口の間に設けられる。薬剤保持材は、所謂押出式では、チャンバ内におけるファンと排気口との間に設けられ、また所謂吸引式では、チャンバ内におけるファンと吸気口との間に設けられる。ファンと薬剤保持材との気流方向に沿う間隔は、害虫防除成分の揮散量を充分に確保するため、１０〜２０ｍｍ程度であった。
【０００３】
【発明が解決しようとする課題】
上述した従来の害虫防除装置では、ファンと薬剤保持材との気流方向に沿う間隔が１０〜２０ｍｍ程度であったため、装置全体が大きくなってしまうという問題があった。
本発明は、害虫防除成分の揮散量低下等の機能低下を極力抑制し、害虫防除成分の揮散量を充分に確保することができるとともに、装置全体を小型化することができる害虫防除装置を提供することを目的としている。
【０００４】
【課題を解決するための手段】
本発明の前記目的は、吸気口及び排気口を有する中空形状のチャンバと、チャンバ内における吸気口と排気口の間に設けられ、チャンバ内に吸気口から排気口への気流を生じさせる押出式ファンと、チャンバ内におけるファンと排気口との間に設けられ、保持した害虫防除成分を、押出式ファンによる気流に乗せて排気口からチャンバ外に揮散させる薬剤保持材とを備え、前記押出式ファンの直径Ｂは、前記薬剤保持材の気流と直交する方向に沿う寸法Ｃよりも小さく、かつ、前記押出式ファンと前記薬剤保持材との気流方向に沿う間隔Ａを５〜２０ｍｍで近接配置され、前記押出式ファンと前記薬剤保持材との間に整流板あるいは前記薬剤保持材の受台が存在しない空間を形成していることを特徴とする小型化害虫防除装置より達成される。
【０００５】
本発明において薬剤保持材に保持させる害虫防除成分は特に限定されない。代表的なものを以下に例示する。
・ｄｌ−３−アリル−２−メチル−４−オキソ−２−シクロペンテニル  ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル  ｄ−シス／トランス−クリサンテマート（商品名ピナミンフォルテ：住友化学工業株式会社製）
・ｄｌ−３−アリル−２−メチル−４−オキソ−２−シクロペンテニル  ｄ−トランス−クリサンテマート（商品名バイオアレスレリン：ユクラフ社製）
・ｄ−３−アリル−２−メチル−４−オキソ−２−シクロペンテニル  ｄ−トランス−クリサンテマート（商品名エキスリン：住友化学工業株式会社製、商品名エスバイオール：ユクラフ社製）
・（５−ベンジル−３−フリル）メチル  ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル  ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル  ３−（２，２−ジクロロエテニル）−２，２−ジメチルシクロプロパンカルボキシラート等。
【０００６】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基又はハロゲン原子である化合物を用いることもできる。
この他にも、フィプロニール、Ｓ−１２９５、Ｓ−４１３１１などの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。
【０００７】
こうした中でも、常温で難揮散性のものが好ましく、さらに、エンペントリン、プラレトリン、レスメトリン、エスバイオール、フラメトリン、テラレスリン、トランスフルスリン及びＳ−ハイドロプレンが特に好ましい。
このような害虫防除成分は単独で用いてもよく、組み合わせて用いてもよい。また、これらの類縁体も用いられる。
これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、長時間にわたって害虫防除効果を得ることができる。
【０００８】
薬剤保持材は、形態、材質、サイズ等任意に設定することができるが、簡単な構造で、通気性の大きいものが好ましい。例えば、ハニカム形状、すのこ形状、蛇腹形状、網形状、スリット形状、格子形状若しくは開孔を設けた紙類等の構造のものとすることができる。各セルの形状も本発明の効果の面では問題にならない。上記した以外の形状として、例えば６角形蜂の巣形状でも、円形状、Ｓ字形状でもよい。
【０００９】
薬剤保持材を形成する材質は、害虫防除成分を十分に保持できるものであれば特に限定されない。しかし、保持した害虫防除成分を一時に揮散させるようなものより、要求される時間にわたって同じ量の害虫防除成分を連続的に揮散させることができるような材質であることが好ましい。
例えば紙類（濾紙、パルプ、リンター、厚紙等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００１０】
また、薬剤保持材は、害虫防除成分を含む薬剤を保持し、これらの一種又は二種以上を組み合わせて任意の形状にして使用するものであってもよい。
薬剤保持材に害虫防除成分等を保持させるには、薬剤保持材に薬剤を滴下塗布、含浸塗布、スプレー塗布等の液状塗布方法、液状印刷、はけ塗り等の方法、或いは薬剤保持材へ貼りつけする方法が利用できる。更に、使用する組成物が液状のものでない場合、或いは溶剤を使用しない場合では、混練込み、塗布、印刷等の方法を適用することができる。
【００１１】
薬剤保持材に保持される害虫防除成分量は、通常、当該薬剤保持材の飽和含浸量までとするが、薬剤保持材に別途補給用容器を連結することにより、実質的に増量することができる。
【００１２】
本発明に係る害虫防除装置においては、チャンバ内における吸気口と排気口の間に設けられたファンが、チャンバ内に吸気口から排気口への気流を生じさせる。チャンバ内におけるファンと排気口との間に設けられた薬剤保持材は、保持した害虫防除成分を、ファンによる気流に乗せて排気口からチャンバ外に揮散させる。ファンの直径は、薬剤保持材の気流と直交する方向に沿う寸法よりも小さい。また、ファンと薬剤保持材とが所定距離で近接配置される。
【００１３】
【発明の実施の形態】
以下、図面を参照して本発明の実施の形態について説明する。
図１に、本発明の第１実施形態の分解斜視図を示す。害虫防除装置１０は、天板および側壁を有する上チャンバ１１ａと、底板および側壁を有する下チャンバ１１ｂとを組み合せることで構成されるチャンバ１１を備えている。下チャンバ１１ｂ内にはモータ１４、モータ１４により駆動されるファン１３、モータ１４の回転を制御する制御回路（図示しない）等が収容される。また下チャンバ１１ｂは、電池収容部１９を備えており、この電池収容部１９に電池１５をセットすることで、モータ１４に電源を供給することが可能となる。なお、乾電池１５に代えて、一般家庭用の商用電源を使用できるように構成してもよい。
【００１４】
下チャンバ１１ｂの側壁には、桟１６ｂによって区画された複数の開口である吸気口１６が設けられている。また図示しないが、下チャンバ１１ｂの底板（図中下面）にも、桟や格子によって区画された複数の開口である吸気口が設けられている。
ファン１３は、複数のプロペラ翼１８を有しており、モータ１４とともに所謂軸流送風機構を構成している。
【００１５】
上チャンバ１１ａ内には、その外周が正方形状の薬剤保持材１２が装着される。薬剤保持材１２を上チャンバ１１ａ内に装着する方法は特に限定されない。例えば、上チャンバ１１ａの側壁内面に係止片を突設して、当該係止片により薬剤保持材１２の周縁を係止する等の方法が挙げられる。
また、上チャンバ１１ａの天板には、桟１７ａによって区画された複数の開口である排気口１７が設けられている。
【００１６】
ここでファン１３の直径Ｂは、薬剤保持材１２の気流と直交する方向に沿う寸法Ｃよりも小さく設定されている。
【００１７】
図２に、図１に示した害虫防除装置１０を組み立てた際の、Ｘ−Ｘ断面図を示す。同図に示すように、ファン１３と薬剤保持材１２は、チャンバ１１内において所定間隔で近接配置されており、本実施形態ではファン１３と薬剤保持材１２との気流方向に沿う間隔Ａは５ｍｍに設定されている。
【００１８】
本実施形態の作用を説明する。
操作者が、害虫防除装置１０のスイッチ手段（図示しない）を操作すると、モータ１４が駆動され、ファン１３の回転が開始される。ファン１３の回転により、チャンバ１１外部の空気が吸気口１６を通ってチャンバ１１内部に吸入される。そして、その吸入された空気は、薬剤保持材１２に向かって流れる気流になり、チャンバ１１内において薬剤保持材１２に当たる。すると、薬剤保持材１２に保持させた害虫防除成分が当該気流に乗って排気口１７を通ってチャンバ１１外部に揮散される。
【００１９】
図３に、本発明の第２実施形態を示す。害虫防除装置３０は、前述した第１実施形態（図２参照）のファン１３と薬剤保持材１２との間に整流手段３１を設けたものであって、他の構成は第１実施形態と同じである。以下、本実施形態の構成および作用を図３に基づいて説明するが、既に第１実施形態において説明した部材等は、図中に同一符号を付すことにより説明を簡略化或いは省略する。
【００２０】
整流手段３１は、薬剤保持材１２の直下に配置されている。整流手段３１は、例えばチャンバ１１と別体であって、上チャンバ１１ａの側壁等に係止されてもよい。また、上チャンバに一体的に設けられてもよく、固着されてもよい。整流手段３１の形態は特に限定されず、例えば、複数の平板を交差して構成したもの等を採用することができる。
このように、ファン１３と薬剤保持材１２との間に他の部材が設けられる場合、ファン１３からその他部材までの間隔が、第１実施形態で説明した間隔Ａに相当する。本実施形態では、ファン１３と整流手段３１との気流方向に沿う間隔Ａが５ｍｍに設定されている。
【００２１】
本実施形態の作用を説明する。
操作者が、害虫防除装置３０のスイッチ手段（図示しない）を操作すると、ファン１３の回転により、チャンバ１１外部の空気が吸気口１６を通ってチャンバ１１内部に吸入される。そして、その吸入された空気は、薬剤保持材１２に向かって流れる気流になる。当該気流は、ファン１３から薬剤保持材１２に向かう途中で整流手段３１を通過する際に整流される。そして、その整流された気流が、チャンバ１１内において薬剤保持材１２に当たり、当該薬剤保持材１２に保持された害虫防除成分が排気口１７を通ってチャンバ１１外部に揮散される。
【００２２】
次に、ファン１３と薬剤保持材１２との気流方向に沿う間隔Ａが、チャンバ１１外に排気される風量及び害虫防除成分の揮散量に及ぼす影響について、試験を行ったところ、本発明の害虫防除装置の優位性が明らかになった。試験は、前述した第１実施形態を用いて下記の条件で行った。結果を図４〜図６に示す。
【００２３】
（試験方法）
ファン１３として下記直径を有するプロペラファンを用いるとともに、薬剤保持材１２としてハニカムを用い、ファン１３とハニカムの間隔Ａを変化させた際の風速変化を測定した。ファン１３、ハニカム、及びファン駆動用モータ１４の運転電圧は、下記の▲１▼又は▲２▼からそれぞれいずれか１つを選択して組み合わせた。実際の組み合わせは、図４〜図６中にそれぞれ示す。
0004166876.tif 000002
【００２４】
図４は、図２の害虫防除装置１０において、間隔Ａを変化させた場合のチャンバ外に排気される風量の変化を示すグラフである。
図４において、各折れ線は、ファン、ハニカム及びファン駆動用モータの運転電圧の組み合わせを変更した場合の間隔Ａの変化に対する風量の変化を示している。
【００２５】
いずれの折れ線も、間隔が２０〜５ｍｍの範囲では、風量にほとんど変化がないことを示している。一方、間隔が５ｍｍ未満となると、いずれの折れ線も、わずかな風量低下を示しているが、図５に示す、吸引式のファンを備えた害虫防除装置の場合に比較して、その低下量は小さい。
【００２６】
図５は、吸引式のファンを備えた害虫防除装置において、間隔Ａを変化させた場合のチャンバ外に排気される風量の変化を示すグラフである。
図５において、各折れ線は、ファン、ハニカム及びファン駆動用モータの運転電圧の組み合わせを変更した場合の間隔Ａの変化に対する風量の変化を示している。
【００２７】
いずれの折れ線も、間隔が２０〜５ｍｍの範囲では、間隔が小さくなるに従って、風量が徐々に低下することを示している。そして間隔が５ｍｍ未満となると、いずれの折れ線も、風量の急激な低下を示している。
【００２８】
図６は、図２の害虫防除装置、及び吸引式のファンを備えた害虫防除装置において、間隔Ａの変化に対する害虫防除成分の揮散量変化を示すグラフである。
図６において折れ線Ｄは、間隔Ａの変化に対する害虫防除成分の揮散量変化を示す。また折れ線Ｅは、吸引式のファンを備えた害虫防除装置の間隔の変化に対する害虫防除成分の揮散量変化を示す。
【００２９】
いずれの折れ線Ｄ，Ｅにおいても、間隔が２０〜５ｍｍの範囲では、間隔が小さくなるに従って、害虫防除成分の揮散量が徐々に低下する。しかし、折れ線Ｄの方が、折れ線Ｅに比較して低下の程度がかなり小さい。
また間隔が５ｍｍ未満となると、折れ線Ｅでは、害虫防除成分の揮散量が急激に低下する。その低下の度合いは、図５に示す風量の低下よりも更に大きい。しかし折れ線Ｄでは、間隔が２０〜５ｍｍの範囲での害虫防除成分の揮散量より、揮散量が低下するものの、低下の程度は折れ線Ｅの場合に比較して極めて小さい。
【００３０】
以上の結果から、押出式のファン１３を用いるとともに、ファン１３の直径Ｂを薬剤保持材１２の気流と直交する方向に沿う寸法Ｃよりも小さくし、更にファン１３と薬剤保持材１２との気流方向に沿う間隔Ａを５ｍｍ程度とすることにより、害虫防除成分の揮散量低下の抑制と、装置１０の小型化という相反する目的を達成できることが理解される。
【００３１】
【発明の効果】
以上のように本発明においては、薬剤保持材が、チャンバ内におけるファンと排気口との間に設けられており、ファンと薬剤保持材とが所定間隔で近接配置される。またファンの直径は、薬剤保持材の気流と直交する方向に沿う寸法よりも小さい。これらにより、害虫防除成分の揮散量低下等の機能低下を極力抑制することができ、害虫防除成分の揮散量を充分に確保することができるとともに、装置全体を小型化することが可能となる。
【図面の簡単な説明】
【図１】本発明の第１実施形態である害虫防除装置を示す概略斜視図である。
【図２】図１におけるＸ−Ｘ断面図である。
【図３】本発明の第２実施形態である害虫防除装置を示す断面図である。
【図４】第１実施形態における、ファンと薬剤保持材との気流方向に沿う間隔を変化させた場合のチャンバ外に排気される風量の変化を示すグラフである。
【図５】吸引式のファンを備えた害虫防除装置における、ファンと薬剤保持材との気流方向に沿う間隔を変化させた場合のチャンバ外に排気される風量の変化を示すグラフである。
【図６】第１実施形態の害虫防除装置、及び吸引式のファンを備えた害虫防除装置における、ファンと薬剤保持材との気流方向に沿う間隔の変化に対する害虫防除成分の揮散量変化を示すグラフである。
【符号の説明】
１０，３０  害虫防除装置
１１  チャンバ
１２  薬剤保持材
１３  ファン
１４  モータ
１６  吸気口
１７  排気口
３１  整流手段
【図１】
0004166876.tif 000003
【図２】
0004166876.tif 000004
【図３】
0004166876.tif 000005
【図４】
0004166876.tif 000006
【図５】
0004166876.tif 000007
【図６】
0004166876.tif 000008